(57)【要約】【課題】  本発明は、２枚のフィルムの間に収納物を収納し、商品などの被貼付体に貼付して使用される上記収納ラベルについて、収納機能以外に、更に有効な機能を付加できる収納ラベルを提供することを課題とする。【解決手段】  重ね合わせた上下２層のフィルム２，３の縁部の全周又は一部を接着することにより、２層のフィルム２，３間に収納部が形成された本体６と、本体６を被貼付体に貼付するために設けられた粘着部と、を備え、下層のフィルム３には、下層のフィルム３の一領域を区画するように切取用切込線８が形成されており、下層のフィルム３の裏面のうち少なくとも切込線８で区画される領域９に粘着部が設けられている収納ラベル。【選択図】      図１
2006309087.tif 000002
【特許請求の範囲】
【請求項１】
重ね合わせた上下２層のフィルムの縁部の全周又は一部を接着することにより、２層のフィルム間に収納部が形成された本体と、前記本体を被貼付体に貼付するために設けられた粘着部と、を備え、
前記下層のフィルムには、下層のフィルムの一領域を区画するように切取用切込線が形成されており、前記下層のフィルムの裏面のうち少なくとも前記切込線で区画される領域に前記粘着部が設けられていることを特徴とする収納ラベル。
【請求項２】
前記切取用切込線が、一部に非切断部を有し、下層のフィルムの表裏面に貫通する切断線からなる請求項１記載の収納ラベル。
【請求項３】
請求項２記載の収納ラベルの複数が長尺状の離型紙の上に所定間隔をあけて仮貼付され、収納ラベルの一端から捲りながら、個々の収納ラベルを被貼付体に連続的に貼付される収納ラベル連続体であって、
前記切取用切込線の非切断部が、ラベルの捲り開始端側に位置されていることを特徴とする収納ラベル連続体。
【発明の詳細な説明】
【技術分野】
【０００１】
本発明は、縁部が接着された２枚のフィルムの間に説明書などを収納し、粘着剤を介して被貼付体に貼付できる収納ラベル、及びこれが長尺状の離型紙上に連続的に仮貼付された収納ラベル連続体に関する。
【背景技術】
【０００２】
従来、懸賞応募ハガキ、薬品能書、取扱説明書、商品説明書、懸賞応募説明書などの各種説明書、保証書などの各種証明書類、小冊子、各種カード類、付録などの扁平状の収納物を商品に添付するため、図１０に示すような収納ラベルが知られている。
この収納ラベル１００は、上下２層のフィルム１０１，１０２の周縁部を接着することにより、２層のフィルム間に周縁接着部が形成され、且つ周縁接着部で囲われる領域内に収納部１０３が形成された本体１０４と、下層のフィルム１０２の裏面に設けられた粘着部１０５と、を備え、本体１０４の一側縁に略Ｖ字状の開封用切れ目１０６が形成された構成からなる。
かかる収納ラベル１００は、その収納部１０３に収納物１０７を収納し、粘着部１０５を介して下層のフィルム１０２を商品に貼付して使用される。
【０００３】
上記収納ラベル１００は、商品から剥ぎ取られ、切れ目１０６を起点にして本体１０４を切断して収納部１０３を開封することによって、収納物１０３が取り出される。
そして、収納物を取り出した後の上記収納ラベル１００は、収納物を収納して商品に添付するという機能を終え、ゴミとして廃棄される。
【発明の開示】
【発明が解決しようとする課題】
【０００４】
本発明者らは、２枚のフィルムの間に収納物を収納し、商品などの被貼付体に貼付して使用される上記収納ラベルについて、収納機能以外に、更に有効な機能を付加できる収納ラベル、及びこれが長尺状の離型紙上に連続的に仮貼付された収納ラベル連続体を提供することを課題とする。
【課題を解決するための手段】
【０００５】
本発明の第１の手段は、重ね合わせた上下２層のフィルムの縁部の全周又は一部を接着することにより、２層のフィルム間に収納部が形成された本体と、本体を被貼付体に貼付するために設けられた粘着部と、を備え、下層のフィルムには、下層フィルムの一領域を区画するように切取用切込線が形成されており、下層のフィルムの裏面のうち少なくとも切込線で区画される領域に粘着部が設けられている収納ラベルを提供する。
【０００６】
かかる収納ラベルは、収納部内に収納物を収納し、下層のフィルムの裏面に設けられた粘着部を介して商品などの被貼付体に貼付して使用される。
かかる収納ラベルは、その下層のフィルムに、下層フィルムの一領域を区画するように切取用切込線が形成され、且つ下層のフィルムの裏面のうち少なくとも切込線で区画される領域に粘着部が設けられているので、収納ラベルを被貼付体から引き剥がすと、切取用切込線に沿って下層のフィルムの一領域が切り取られ、この一領域は粘着部を介して被貼付体に貼付された状態のまま残る。
従って、例えば、この一領域に懸賞応募資格などを表示しておくことにより、これを懸賞ラベルとして利用でき、或いは、この一領域に商品に関する情報を表示しておくことにより、これを商品識別ラベルとして利用などできる。
尚、収納ラベルを被貼付体から引き剥がした際に、切取用切込線に沿って一領域が切り取られず、収納ラベルと共にこの一領域が剥離した場合でも、該切取用切込線に沿って一領域を切り取ることにより、上記懸賞ラベルや商品識別ラベルなどとして利用することができる。
【０００７】
さらに、本発明の好ましい態様では、上記切取用切込線が、一部に非切断部を有し、下層のフィルムの表裏面に貫通する切断線からなる上記収納ラベルである。かかる収納ラベルは、一部に非切断部を有するので、区画される一領域が完全に切断されておらず、従って、該収納ラベルを被貼付体に貼付する際、一領域が脱落することを防止できる。
【０００８】
また、本発明の第２の手段は、上記収納ラベルの複数が長尺状の離型紙の上に所定間隔をあけて仮貼付され、収納ラベルの一端から捲りながら、個々の収納ラベルを被貼付体に連続的に貼付される収納ラベル連続体であって、切取用切込線の非切断部が、ラベル捲り側に位置されている収納ラベル連続体を提供する。
かかる収納ラベル連続体は、仮貼付された収納ラベルの切取用切込線の非切断部が、ラベル捲り側に位置されているので、収納ラベルの一端から捲りながら個々の収納ラベルを被貼付体に連続的に貼付する際、切取用切込線で区画される一領域が収納ラベルから外れることを防止できる。
【発明の効果】
【０００９】
本発明に係る収納ラベルは、２枚のフィルム間に収納物を収納し、粘着部を介して被貼付体に貼付することができる。この収納ラベルを引き剥がすと、切取用切込線で区画された一領域を切り取ることができるので、これを懸賞ラベルや商品の識別ラベルなどとして利用することができる。従って、本発明の収納ラベルを被貼付体に貼付すれば、懸賞ラベルなどを別個に貼付する必要がない。
従って、本発明に係る収納ラベル連続体は、収納ラベルの一端から捲りながら個々の収納ラベルを被貼付体に連続的に貼付する際、切取用切込線で区画される一領域が収納ラベルから外れることを防止できる。従って、収納ラベルの被貼付体に対する貼付不良を防止して、これを連続的に貼付することができる。
【発明を実施するための最良の形態】
【００１０】
以下、本発明について、図面を参照しつつ具体的に説明する。
図１（ａ）は、収納ラベルの平面図を、図１（ｂ）は、同底面図を示し、周縁接着部を判りやすくするため、便宜上、周縁接着部を網掛け部分で示している。また、図２は、図１（ｂ）と同様に底面図を示しているが、粘着部が設けられた範囲を判り易く表すため、便宜上、粘着部を薄墨塗りで示している。
図１〜図３に於いて、１は、上下２層のフィルム２，３の周縁部を接着することにより、内部に収納物１０を収納可能な収納部５が形成されている本体６と、この本体６の裏面に設けられた粘着部７と、下層のフィルム３の一領域を切り取るために設けられた切取用切込線８と、を備える収納ラベルを示し、この収納ラベル１の収納部５内には収納物１０が収納されている。
この収納ラベル１は、図４に示すように、粘着部７を介して、長尺状の離型紙１２の上に所定間隔をあけて複数仮貼付されており、該複数の収納ラベル１と離型紙１２によって収納ラベル連続体１４が構成されている。
【００１１】
上下２層のフィルム２，３は、特に限定されず、例えば、合成樹脂製フィルム、紙、合成紙、不織布、合成樹脂フィルムと紙の積層体などの積層フィルムなど、公知のフィルムを使用することができる。上下のフィルム２，３は、同一又は同種のものでも良いし、又は異なる材質でもよい。
また、少なくとも下層のフィルム３は、離型紙１２の長手方向Ｘと直交する方向に、引裂性を有するフィルムを用いることが好ましい。
さらに、収納部５に収納された収納物１０を透視するため、少なくとも上層のフィルム２は、透明又は半透明の合成樹脂製フィルムを用いることが好ましい。
また、上下２層のフィルム２，３の周縁部を熱シールにて接着できることから、上下２層のフィルム２，３は、互いに熱シール可能なフィルムを用いることが好ましい。例えば、上下２層のフィルム２，３の少なくとも一方が、重ね合わせ面に熱シール可能なコーティングや樹脂からなる面を有するフィルムで構成されていることにより、両フィルム２，３を熱シールすることができる。
【００１２】
重ね合わされた上下２層のフィルム２，３は、その周縁部が全体（但し、形成される収納部５内の空気を逃がすため、一部分を非接着とすることでエアー抜き用の小さな通路が確保されている）に亘って所定幅接着されることにより周縁接着部４が形成され、この周縁接着部４で囲われる領域の内側に収納部５が形成されている。
周縁接着部４の接着方法は、接着剤などを用いて接着してもよいが、製造容易なことから、熱シールにて接着することが好ましい。この接着強度は、上下２層のフィルム２，３を層間剥離できない程度に接着されていてもよいし、上下２層のフィルム２，３を層間剥離可能な程度に接着されていてもよい。
収納部５の形状は、収納物１０の形状などに応じて適宜設定され、本実施形態では、本体６及び収納部５ともに、平面視矩形状に形成されている。
尚、収納物１０としては、懸賞応募ハガキ、薬品能書、取扱説明書、商品説明書、懸賞応募説明書などの各種説明書、保証書などの各種証明書類、小冊子、各種カード類、コイン状物品、付録などの扁平状の収納物が挙げられる。もっとも、収納部５には、このような扁平状の収納物１０に限られず、ある程度嵩高い収納物１０を収納することもできる。
また、５ａは、周縁接着部４に形成された開封用切れ目を示し、該開封用切れ目５ａから上下２層のフィルム２，３の一側部を切り取ることにより、収納部５を開封することができる。
【００１３】
さらに、下層のフィルム３には、収納部５が形成された領域内に、切取用切込線８が形成されている。
この切取用切込線８は、下層のフィルム３の一領域（所定部分）を区画するように下層のフィルム３に刻設されている。該切取用切込線８によって区画される一領域（以下、切取領域９という）の形状は特に限定されず、図示したように、平面視略円状の他、特に図示しないが、平面視略四角形状、三角形状など適宜の形状に形成することができる。
切取用切込線８は、一部に非切断部８ａを有した状態で、下層のフィルム３の表面から裏面にまで貫通する切断線８ｂにて構成されている。
【００１４】
具体的には、切取用切込線８は、有端状の切断線８ｂの端部同士を向かい合わせ、且つ該切断線８ｂの向かい合う端部の間を切断せずに非切断部８ａとして残すことによって形成されており、主として切断線８ｂの刻設形状によって切取領域９の形状が画定されている。
非切断部８ａの形成位置は、特に限定されないが、収納ラベル１の貼付時に離型紙１２から剥離させる際、切取領域９が不用意に捲れ取れることを防止する観点から、非切断部８ａは、本体６の一側部６ａ側に位置して設けられていることが好ましい。本実施形態では、図４（ｂ）に示すように、半円弧状の２本の切断線８ｂを離型紙１２の長手方向Ｘと平行な線に対して線対称に配置させることによって、２箇所の非切断部８ａが、離型紙１２の長手方向Ｘに平行に、且つ本体６の一側部６ａと該一側部６ａに対向する他側部６ｂのそれぞれ形成されている。
【００１５】
下層のフィルム３の表面（切取領域９の表面も含む）には、例えば商品名、商標、絵柄デザイン、商品説明、懸賞応募説明などの所定の内容を表した意匠表示１１がフレキソ印刷や凸版輪転印刷などによって単色又は多色刷りにて設けられている。
一方、下層のフィルム３の裏面全体には、粘着剤を塗布することにより粘着層が設けられ、この粘着層の裏面が、粘着部７を構成している。
粘着部７は、商品などの被貼付体に収納ラベル１を貼付できるものであって、被貼付体の貼付面を傷つけずに剥離可能で、且つ剥離後再貼付可能な粘着剤が好ましく用いられる。
【００１６】
上記構成からなる収納ラベル１及び収納ラベル連続体１４は、例えば、下記のようにして製造できる。
裏面全体に粘着剤が塗布され、この粘着剤塗布面が長尺状の離型紙１２の上に仮貼付されている下層フィルム原反（下層のフィルムが連続的に繋がった長尺状のフィルム）に、所定間隔をあけて切取用切込線８を刻設する。
次に、この下層フィルム原反の表面に、所定間隔をあけて収納物１０を載置すると共に、その上から上層フィルム原反を重ね合わせ、個々の収納物１０を被包するように上下２層のフィルム原反を熱シールすることにより、周縁接着部４を形成する。最後に、周縁接着部４の外縁にて上下のフィルム原反を切断し、収納ラベル１以外の上下のフィルム原反（不要となった抜き滓フィルム）を取り除く。これにより、内部に一の収納物１０の収納された収納ラベル１が、長尺状の離型紙１２の上に所定間隔をあけて並べて仮貼付された収納ラベル連続体１４を得ることができる。
【００１７】
かかる収納ラベル連続体１４は、ロール状に巻き取られ、収納ラベル１を個々に被貼付体に貼付するためラベリング装置（図示せず）に装填される。該装置に装填された収納ラベル連続体１４は、収納ラベル１を被貼付体に貼付する際、図５に示すように、ラベリング装置の略Ｖ字状の離型紙剥離部１６へと引き出され、この剥離部１６にて離型紙１２のみ反転回収される。これにより、収納ラベル１は、その一側部６ａの端から捲り取られ、図６（ａ）に示すように、粘着部７を介して商品の外箱などの被貼付体１５に連続的に貼付される。
上記収納ラベル連続体１４に於いて、長尺状の離型紙１２に仮接着された収納ラベル１は、切取用切込線８の非切断部８ａがラベルの捲り開始端側（ラベル１の一側部６ａの端）に位置するように仮貼付されているので、収納ラベル１を捲りながら連続的に貼付する際、切取領域９が収納ラベル１から外れることを防止できる。
従って、収納ラベル１の貼付不良を極めて少なくすることができる。
【００１８】
そして、使用者が、この収納ラベル１に収納された収納物１０を取り出すべく、収納ラベル１を被貼付体１５から引き剥がすと、図６（ｂ）に示すように、下層のフィルム３は、細幅の非切断部８ａが分断されるので、切取用切込線８で囲われた切取領域９は、粘着部７を介して被貼付体１５に残ったままとなる。
特に、下層のフィルム３として、離型紙１２の長手方向Ｘと直交する方向に引裂性を有するフィルムが用いられている場合には、本体６の一側部６ａ及び他側部６ｂ側に位置し、且つ切断線８ｂの端部同士が向かい合った間に形成されている非切断部８ａは、フィルムの引裂方向性に従って、切断線８ｂに繋がるように分断される。よって、収納ラベル１を被貼付体１５から引き剥がした際、非切断部８ａを確実に分断して切取領域９を切り取り、切取領域９を被貼付体１５上に残すことができる。
このように本発明の収納ラベル１は、これを引き剥がすことにより切取用切込線８に沿って切り取られ、恰も別個の粘着ラベルを被貼付体１５に貼付したかの如く、所定形状の切取領域９を被貼付体１５に貼付した状態とすることができる。
【００１９】
収納ラベル１から切り取られ且つ被貼付体１５に残る上記切取領域９は、その表面に施される意匠表示１１やその貼付場所を適宜選択することにより、種々の機能ラベルとして利用することができる。
例えば、切取領域９の表面に表される意匠表示１１として、懸賞応募表示（例えば、懸賞ポイントなど）を印刷しておけば、切取領域９を懸賞ラベルとして使用できる。具体的には、例えば、収納物１０として、懸賞応募ハガキを折り畳んで収納し、切取領域９の表面に表される意匠表示１１として、懸賞応募するためのポイントや懸賞の当否を示すクジなどを表しておくことにより、使用者は、収納ラベル１を剥離する前や懸賞応募ハガキを取り出す前には、懸賞応募ハガキで隠蔽された意匠表示１１（前記ポイントなど）を目視できないが、収納ラベル１を剥離などすることによって、意匠表示１１を確認できる。そして、使用者は、収納ラベル１から懸賞応募ハガキを取り出し、切取領域９を被貼付体１５から剥離し、その粘着部７を介して切取領域９を該ハガキに貼付して懸賞に応募するという用途に利用できる。
【００２０】
また、切取領域９のその他の用例としては、下記のような識別ラベルや封緘ラベルが例示される。
例えば、切取領域９の表面に表される意匠表示１１として、商品（被貼付体）に関する情報（例えば、商品の賞味期限、商品の成分表示、商品名やメーカー名など）を印刷しておけば、切取領域９を商品の識別ラベルとして利用できる。例えば、包装フィルムで外包装されたマヨネーズ容器のように、包装フィルムに商品情報が表示され、一方、容器自体には該情報が表示されていない商品にあっては、この容器に本発明の収納ラベル１を貼付することで、包装フィルムを廃棄し且つ収納ラベル１を引き剥がした後でも、容器に切取領域９が残り、これを当該商品の識別ラベルとして利用できる。
【００２１】
さらに、例えば、収納ラベル１の裏面のうち切取領域９の対応裏面を、被貼付体の開封部に跨るように貼付することにより、切取領域９を封緘ラベルとして利用できる。具体的には、例えば、テアテープの具備された外装フィルムで外包装された箱入り菓子の該テアテープ（開封部）に切取領域９の裏面が跨るように、収納ラベル１を貼付することで、この収納ラベル１を引き剥がした後でも、切取領域９が商品の開封部に残るため、これを当該商品の封緘ラベルとして利用できる。
【００２２】
尚、被貼付体１５に貼付した収納ラベル１を引き剥がした際に、仮に、切取領域９が切り取られず、収納ラベル１と共に剥がれたとしても、切取用切込線８に従えば切取領域９を容易に切り取ることができるので、使用者自身がこれを切り取り、再貼付して利用できる。例えば、懸賞ラベルとして利用される場合には、使用者が切り取り、懸賞応募ハガキに貼付して懸賞応募をしたり、商品の識別ラベルとして利用される場合には、商品に再貼付して利用できる。
【００２３】
次に、本発明の変形例を示す。以下、主として上記実施形態と異なる構成及び作用効果について説明し、同様の構成などについては、その説明を省略し、図番を援用することがある。
上記実施形態では、下層のフィルム３の裏面全体に粘着部７が設けられているが、粘着部７は、必ずしも裏面全体に設けるものに限られず、少なくとも切取領域９の裏面に設けられていればよい。少なくとも切取領域９の裏面に設けられていれば、収納ラベル１自体を被貼付体１５に貼付でき、一方、切取領域９を上記に例示した懸賞ラベルなどの各種の機能ラベルとして貼付利用できるからである。
尚、切取領域９の裏面にのみ粘着部７を設ける、又は、下層のフィルム３の裏面のうち切取領域９を含む所定領域に粘着部７を設ける方法としては、例えば、下層のフィルム３の裏面全体に粘着剤を塗布し、この粘着層の裏面のうち、粘着部７の形成部分を除き、紫外線硬化型インキなどを塗工するなどの非接着処理を施す手段が例示される。
【００２４】
また、下層のフィルム３の裏面に設けられる粘着部７を、粘着力の弱い弱粘着部と粘着力の強い強粘着部とによって構成することもできる。この強粘着部は、少なくとも切取領域９の裏面に設けられ、弱粘着部は、強粘着部の周りに設けられる。このように強弱の粘着部を設けることにより、収納ラベル１の裏面全体を被貼付体に貼付でき、且つ切取領域９の裏面を被貼付体に強く接着させることができるので、収納ラベル１を引き剥がした際に、切取領域９を被貼付体１５上に確実に残すことができる。
尚、強粘着部は、被貼付体の貼付面を傷つけずに剥離できる剥離可能で、且つ剥離後再貼付可能なものであり、弱粘着部は、強粘着部よりも粘着力が弱いものある。このような強弱の粘着部は、例えば、下層のフィルム３の裏面全体に上記粘着剤を塗布した後、強粘着部の形成部分を除き、紫外線硬化型インキなどを非常に薄く塗工したり、或いは、該インキなどを微細な網目状や縞状などの部分的に印刷するなどの手段が例示される。
【００２５】
さらに、上記実施形態では、切取用切込線８は、収納部５の領域内に形成されているが、例えば、図７（ａ）に示すように、周縁接着部４が形成された範囲を含むように切取用切込線８が形成されていてもよい。
また、上記実施形態では、切取用切込線８は、対向させた半円弧状の２本の切断線８ｂからなるが、図７（ｂ）に示すように、１本の有端状の切断線８ｂで構成することもできる。この場合、１箇所の非切断部８ａが形成されるが、この非切断部８ａは、ラベルの捲り開始端側（ラベル１の一側部６ａ）に位置するように設けられる。また、切取用切込線８は、図８（ｃ）に示すように、３本以上の有端状の切断線８ｂの端部同士を向かい合わせ、その間に非切断部８ａを有するように形成することもできる。尚、該有端状の切断線８ｂの数が非常に多くなると、切断線８ｂと非切断部８ａが断続的に連なったミシン目状となり、切取用切込線８は該ミシン目状に形成することもできる。
もっとも、切取用切込線８に沿って切取領域９が切り取り易くするために、非切断部８ｂは、１〜４箇所程度形成されていることが好ましい。
また、切断線８ｂは、非切断部８ａの長さよりも非常に長く形成することが好ましく、例えば、切断線８ｂの長さが、非切断部８ａの長さ（切断線８ｂの端部が向かい合った間隔）の約１０倍程度以上に形成することが好ましい。具体的には、非切断部８ａの長さは、０．２〜１．０ｍｍ程度が例示される。
【００２６】
さらに、上記実施形態では、切取用切込線８は、下層のフィルム３の表面から裏面にまで貫通する切断線８ｂからなるが、例えば、図８に示すように、下層のフィルム３の一面から厚み方向中途部まで切り込んだハーフカット線８ｃ（例えば、Ｖノッチ線など）によって構成することもできる。但し、切取用切込線８が、ハーフカット線８ｃにて構成されていると、収納ラベル１を被貼付体１５から引き剥がした際、該切取用切込線８に沿って切取領域９が切り取られず、収納ラベル１と共に被貼付体１５から剥がれるので、切取用切込線８は、上記のように切断線８ｂで構成されていることが好ましい。
【００２７】
また、上記実施形態では、上下のフィルム２，３の周縁部全体が接着されることにより、収納部５が形成されているが、上下のフィルム２，３の周縁部全体を接着せずに収納部５が形成されていてもよい。例えば、上記矩形状の上下のフィルム２，３について、その３辺の縁部を接着することにより、一側部が開口された収納部５としてもよい。
【００２８】
また、上記実施形態では、本体６及び収納部５が矩形状の収納ラベル１を例示しているが、本発明の収納ラベル１は矩形状に限られず、例えば、図９に示すように、略三角形状、略円形などに形成されていてもよい。
【図面の簡単な説明】
【００２９】
【図１】（ａ）は、収納ラベルの一実施形態を示す平面図、（ｂ）は、同底面図。但し、網掛けは、周縁接着部が設けられた範囲を示す。
【図２】同底面図。但し、薄墨塗りは、粘着部が設けられた範囲を示す。
【図３】（ａ）は、図１のＡ−Ａ線端面図、（ｂ）は、同Ｂ−Ｂ線端面図。
【図４】（ａ）は、収納ラベル連続体の一実施形態を示す一部省略側面図、（ｂ）は、同一部省略平面図。但し、同図（ｂ）では、切取用切込線の非切断部及び切断線の位置関係を明確にするため、便宜上、切取用切込線を実線で示している。
【図５】収納ラベル連続体から離型紙を取り除く状態を示す一部省略側面図。
【図６】（ａ）、（ｂ）共に、収納ラベルの使用状態を示す斜視図。但し、薄墨塗りは、粘着部が設けられた範囲を示す。
【図７】（ａ）〜（ｃ）共に、収納ラベルの他の実施形態を示す底面図。但し、網掛けは、周縁接着部が設けられた範囲を示す。
【図８】下層のフィルムに設けられた切取用切込線の他の実施形態を示す一部省略断面図。
【図９】（ａ）、（ｂ）共に、収納ラベルの他の実施形態を示す底面図。但し、網掛けは、周縁接着部が設けられた範囲を示す。
【図１０】（ａ）は、従来の収納ラベルを示す平面図、（ｂ）は、同Ｃ−Ｃ線端面図。
【符号の説明】
【００３０】
１…収納ラベル、２…上層のフィルム、３…下層のフィルム、４…周縁接着部、５…収納部、６…本体、７…粘着部、８…切取用切込線、８ａ…非切断部、８ｂ…切断線、９…切取領域、１０…収納物、１１…意匠表示、１２…長尺状の離型紙、１４…収納ラベル連続体、１５…被貼付体
【図１】
2006309087.tif 000003
【図２】
2006309087.tif 000004
【図３】
2006309087.tif 000005
【図４】
2006309087.tif 000006
【図５】
2006309087.tif 000007
【図６】
2006309087.tif 000008
【図７】
2006309087.tif 000009
【図８】
2006309087.tif 000010
【図９】
2006309087.tif 000011
【図１０】
2006309087.tif 000012